(57)【要約】【課題】コンタクトの耐用を向上させ、カバーとなるバックロック式のレバーの開閉状態を確実に維持する低背型ＦＰＣ用ＺＩＦコネクタを提供する。【解決手段】絶縁性のハウジング１０は複数の二股コンタクト４０を配列する。バックロック型のレバー３０はハウジング１０の後方の上面解放端部１７に回転可能に保持される。二股コンタクト４０は上腕４１と下腕４２を備える。下腕４２はハウジング１０に固定され、相反側には略Ｕ字状の溝４５が形成された二股の係合アーム４４が突出する。上腕４１は係合アーム４４に連接し、レバー３０は回転軸３１と握持部３２で一体に構成される。回転軸３１の周囲は板カム３３ａとなって係合アーム４４と連結するカム装置を構成する。レバー３０の回動により板カム３３ａが係合アーム４４を変位させて二股コンタクト４０の開きを調整できる。【選択図】        図１
2005108465.tif 000002
【特許請求の範囲】
【請求項１】
ＦＰＣが開口部に挿入され、複数のコンタクトが前記ＦＰＣと電気的に接続するＦＰＣ用ＺＩＦコネクタであって、
前方に前記開口部を有しており、複数の二股コンタクトを配列する絶縁性のハウジングと、該ハウジングの後方は上面開放端部となっており、該上面開放端部に回動可能に保持されるバックロック型のレバーと、を備えており、
前記二股コンタクトは、上腕と下腕とを備え、該下腕は、前記ハウジングに固定され、前記下腕の相反側には略Ｕ字状の溝を形成する二股の係合アームが後方に突出して形成され、前記上腕は、前記係合アームに連設して前記下腕に対向して前方に延出されており、
前記レバーは、回転軸と握持部で一体に構成されており、前記回転軸の周囲は第１の板カムとなって前記二股の係合アームと連結するカム装置を構成しており、
前記レバーを開けると前記板カムが前記係合アームを変位させて前記コンタクトの上腕を開いた状態とし、前記レバーを閉じると前記係合アームの変位が解除され、前記コンタクトの上腕を閉じた状態に復帰することを特徴とする低背型ＦＰＣ用ＺＩＦコネクタ。
【請求項２】
前記ハウジングの両翼には、前記上面開放端部の後側より前方に延出する一対の接合タブが配置され、該接合タブははんだ付けされて前記ハウジングをプリント基板に接合すると共に、前記回転軸の両端部を回動自在に保持していることを特徴とする請求項１記載の低背型ＦＰＣ用ＺＩＦコネクタ。
【請求項３】
前記回転軸は、剛体金属で形成され、該回転軸に絶縁性の前記握持部が一体成形されることを特徴とする請求項１又は２のいずれかに記載の低背型ＦＰＣ用ＺＩＦコネクタ。
【請求項４】
前記回転軸の周囲は第２の板カムが形成されており、該第２の板カムと前記上面開放端部の上面との密着によって前記レバーの閉じた状態が維持されていることを特徴とする請求項１から３のいずれかに記載の低背型ＦＰＣ用ＺＩＦコネクタ。
【請求項５】
前記第１の板カムと前記第２の板カムが前記回転軸の軸方向に交互に配列されていることを特徴とする請求項４記載の低背型ＦＰＣ用ＺＩＦコネクタ。
【請求項６】
前記上面開放端部には前記バックロック型のレバーを握持可能な空間が形成されていることを特徴とする請求項１記載の低背型ＦＰＣ用ＺＩＦコネクタ。
【発明の詳細な説明】
【技術分野】
【０００１】
本発明は、ＦＰＣ（Ｆｌｅｘｉｂｌｅ  Ｐｒｉｎｔｅｄ  Ｃｉｒｃｕｉｔ）やＦＦＣ（Ｆｌｅｘｉｂｌｅ  Ｆｌａｔ  Ｃａｂｌｅ）等の平形柔軟ケーブルと接続するＦＰＣ用コネクタに関する。特に、ＦＰＣやＦＦＣ等の平形柔軟ケーブルの挿入時にほとんど力を必要としない、いわゆるＺＩＦ（Ｚｅｒｏ  Ｉｎｓｅｒｔｉｏｎ  Ｆｏｒｃｅ）タイプの低背型ＦＰＣ用ＺＩＦコネクタに関する。
【背景技術】
【０００２】
ＦＰＣには多数の端子が並列して設けられているが、このようなＦＰＣをプリント基板等に着脱可能に接続する場合には、多数のコンタクトが並列して設けられたＦＰＣ用コネクタが使用される。従来のＦＰＣ用コネクタは、例えば特許文献１や特許文献２等に開示されているように、コンタクトとＦＰＣの端子とを、操作部材を介して押圧して圧接（密着）させることによって、多数の端子を一括して接続すると共に、ＦＰＣが外れないように保持している。
【０００３】
特許文献１に開示のＦＰＣ用コネクタは、ハウジングの一面にＦＰＣを挿入するためのＦＰＣ挿入口を形成し、前記ハウジングの他面にカバーを挿入するためのカバー挿入孔を形成し、コンタクトは、前記カバー挿入孔に臨んで設けられると共に、前記カバーの挿入によって弾性変形する押圧片と、前記ＦＰＣ挿入口に臨んで設けられると共に、前記カバー挿入時の前記押圧片の弾性変形に連動して前記ＦＰＣに圧接する圧接片とを具備している。
【０００４】
これによって、ハウジングの一面に形成されたＦＰＣ挿入口にＦＰＣを挿入した後、ハウジングの他面に形成されたカバー挿入孔にカバーを挿入することによってコンタクトの押圧片が弾性変形し、この押圧片の弾性変形に連動してコンタクトの圧接片がＦＰＣに圧接する。これによってコンタクトとＦＰＣが圧接接続することになる。
【０００５】
一方、特許文献２に開示のＦＰＣ用コネクタは、前端に平型柔軟ケーブルの挿入口が設けられ、内部に並列して装着された複数の導電ターミナル（コンタクト）のコンタクトビームが前記挿入口に臨ませてある絶縁ハウジングと、絶縁ハウジングの後端側上部に、絶縁ハウジングの前後方向で回動可能に設けられたカバーとからなり、前記導電ターミナル（コンタクト）が、基部ビームとＵ字状のコンタクトビームが連結部を介して一体とされ、基部ビームの後端側に係合アームが設けられていると共に、コンタクトビームの後側に「てこアーム」が連設された構成とされ、並列された複数の導電ターミナル（コンタクト）の各係合アームで構成された係合部と前記カバーの係合部がカバーの回動を可能とするように互いに係合しており、かつ、前記「てこアーム」とカバーの後端側内面を対向させて、カバーの回動によって、「てこアーム」を介してＵ字状のコンタクトビームの対向部を開閉可能としてある。
【０００６】
これによって、カバーを回動させると、カバーの内面が「てこアーム」を移動させ、「てこアーム」の移動によって導電ターミナル（コンタクト）のコンタクトビームの開閉が行われる。コンタクトビームが開くと平型柔軟ケーブルの接続端をゼロ挿入力で挿入できる。コンタクトビームを閉じるとコンタクトビームの弾力で平型柔軟ケーブルとの間に接触圧が生ずる。また、平型柔軟ケーブルとコンタクトビーム間の接触圧はコンタクトビームの弾力で生ずるようにしており、かつ、コンタクトビームの開閉は「てこアーム」の作用を介しているので、カバーの回動に大きな力を必要としなくてもできる。
【特許文献１】実開平７−１８３８６号公報
【特許文献２】登録実用新案第３０１９２７９号公報
【発明の開示】
【発明が解決しようとする課題】
【０００７】
しかしながら、特許文献１に開示のＦＰＣ用コネクタは、コンタクトの押圧片が弾性変形し、この押圧片の弾性変形に連動してコンタクトの圧接片がＦＰＣに圧接することになっているので、ＦＰＣが接続されている時はコンタクトに常時変形応力が作用していることになり、例えば、クリープ現象などが発生し、コンタクトの耐用を損ねるといった不都合があった。また、押圧片を弾性変形するためのカバーをハウジングの上方からカバー挿入孔に挿入しているので、ハウジングの上壁が肉厚になってしまい、コネクタの実装高さを大きくしている。
【０００８】
また、特許文献２に開示のＦＰＣ用コネクタは、導電ターミナル（コンタクト）の後側に連接された「てこ」式のアームで構成された係合部にカバーの係合部が係合して、カバーが回動されることになっているので、カバーを開閉する度に導電ターミナル（コンタクト）の後側に連接された「てこ」式のアームに負荷が掛かることになり、導電ターミナル（コンタクト）の耐用を損ねる。また、カバーはハウジングに係合されていないので、係合が外れ易く操作性が劣るという不都合があった。また、コンタクトには、後側に「てこアーム」と係合アームとを形成し、この係合アームとカバーの係合部とを係合してカバーを回動させ、「てこアーム」をカバーで押し下げる構成となっているので、コンタクトが３段となり、コネクタの実装高さを大きくしている。
【０００９】
特に、近年、携帯電話やデジタルカメラ（ＤＳＣ、ＤＶＣ）等の用途ではコネクタの高さを例えば、１ｍｍ程度とするような低背化が要求されている。
【００１０】
本発明は、このような問題に鑑み、実装高さが小さい、いわゆる、低背型であって、コンタクトの耐用を向上させると共に、カバーとなるバックロック式のレバーの開閉状態を確実に維持するＦＰＣ用ＺＩＦコネクタを提供することを目的とする。
【課題を解決するための手段】
【００１１】
発明者は、上記目的を満たすため、以下のような新たなコネクタを提供する。
【００１２】
（１）  ＦＰＣが開口部に挿入され、複数のコンタクトが前記ＦＰＣと電気的に接続するＦＰＣ用ＺＩＦコネクタであって、前方に前記開口部を有しており、複数の二股コンタクトを配列する絶縁性のハウジングと、該ハウジングの後方は上面開放端部となっており、該上面開放端部に回動可能に保持されるバックロック型のレバーと、を備えており、前記二股コンタクトは、上腕と下腕とを備え、該下腕は、前記ハウジングに固定され、前記下腕の相反側には略Ｕ字状の溝を形成する二股の係合アームが後方に突出して形成され、前記上腕は、前記係合アームに連設して前記下腕に対向して前方に延出されており、前記レバーは、回転軸と握持部で一体に構成されており、前記回転軸の周囲は第１の板カムとなって前記二股の係合アームと連結するカム装置を構成しており、前記レバーを開けると前記板カムが前記係合アームを変位させて前記コンタクトの上腕を開いた状態とし、前記レバーを閉じると前記係合アームの変位が解除され、前記コンタクトの上腕を閉じた状態に復帰することを特徴とする低背型ＦＰＣ用ＺＩＦコネクタ。
【００１３】
本発明によれば、上腕と下腕とからなり、下腕はハウジングに固定され、その下腕の相反側に後方に向けて突出する略Ｕ字状の溝が形成された二股の係合アームを備え、上腕が係合アームに連設して下腕に対向して前方に延出されたコンタクトがハウジングの開口部に配列されており、ハウジングの後方の上面開放端部には、回転軸と握持部で一体に構成されたバックロック型のレバーが回動可能に配置され、回転軸の周囲は第１の板カムとなって二股の係合アームと連結するカム装置を構成しており、レバーを開けると板カムは係合アームを変位させてコンタクトの上腕を開いた状態とし、レバーを閉じると板カムによる係合アームの変位が解除され、コンタクトの上腕を閉じた状態に復帰するので、レバーの回動でコンタクトの上腕と下腕との間隔を広げたり狭めたりすることができることになる。
【００１４】
すなわち、レバーを開けると、板カムが係合アームを変位させ、この係合アームが変位することにより、コンタクトの上腕が連動して弾性変形して上方（ハウジングの上壁側）に変位し、コンタクトの上腕と下腕との間隔を広げた状態にする。この時のコンタクトの上腕と下腕との間隔を挿入されるＦＰＣの接続端部の厚さよりも広くなるようにしておくことで、ＦＰＣの抜き差しが僅かな挿入力でできることになる。一方、レバーを閉じると板カムによる係合アームの変位が解除されて、コンタクトの上腕が弾性復帰してコンタクトの上腕と下腕との間隔を狭めた状態になり、コンタクトの上腕の弾力でＦＰＣが狭持されて接続状態を保持することができることになる。
【００１５】
このように、本発明のＦＰＣ用ＺＩＦコネクタは、レバーを回動して開けるとコンタクトの上腕と下腕との間隔を広げた状態になり、ＦＰＣを挿入する際にほとんど力を必要としない、いわゆるＺＩＦコネクタとなる。また、レバーを回動して閉じると、コンタクトの上腕が弾性復帰してコンタクトの上腕と下腕との間隔が狭まることになり、挿入されたＦＰＣを狭持して接続状態を保持するので、ＦＰＣとの接続時にはコンタクトには外部荷重が作用していないことになり、コンタクトの耐久性が向上することになる。
【００１６】
また、コンタクトは上腕と下腕とから構成された２段の形状であるので、コンタクトの背高が低くでき、コネクタは低背化を実現できる。また、コンタクトをプリント基板と接続させる接触子タブをコンタクトの下腕の前方側に設けることで、ハウジングの上面開放端部側には、バックロック型のレバーを握持可能な空間が形成されるので、レバーを開閉操作する際に接触子タブ等に邪魔されず握持部に手を掛けやすい。これによって、レバーの開閉操作が容易となる。
【００１７】
（２）  前記ハウジングの両翼には、前記上面開放端部の後側より前方に延出する一対の接合タブが配置され、該接合タブははんだ付けされて前記ハウジングをプリント基板に接合すると共に、前記回転軸の両端部を回動自在に保持していることを特徴とする（１）記載の低背型ＦＰＣ用ＺＩＦコネクタ。
【００１８】
本発明によれば、ハウジングの両翼に配置された接合タブによって、ハウジングはプリント基板に接合され、さらに、この接合タブはレバーの回転軸の両端部を回動自在に保持している。ハウジングに圧入されるこの接合タブは、コネクタをプリント基板に固着する機能と、回転軸の両端部を回動自在に保持する機能を合わせもっている。このように、接合タブに両機能をもたせることによりコネクタをコンパクトにできる。
【００１９】
（３）  前記回転軸は、剛体金属で形成され、該回転軸に絶縁性の前記握持部が一体成形されることを特徴とする（１）又は（２）のいずれかに記載の低背型ＦＰＣ用ＺＩＦコネクタ。
【００２０】
本発明によれば、回転軸は剛体金属で形成されているので、レバーを開閉時に回転軸の撓みを少なくできる。尚、この回転軸は、把持部と一体成形後、金属露出部に絶縁性の皮膜が施されてもよい。また、予め回転軸を絶縁性の皮膜で被覆しておいて、これを握持部と一体成形してもよい。
【００２１】
（４）  前記回転軸の周囲は第２の板カムが形成されており、該第２の板カムと前記上面開放端部の上面との密着によって前記レバーの閉じた状態が維持されていることを特徴とする（１）から（３）のいずれかに記載の低背型ＦＰＣ用ＺＩＦコネクタ。
【００２２】
本発明によれば、第２の板カムと前記上面開放端部の側壁の密着によってレバーの閉じた状態が維持されているので、レバーの閉じられた状態が安定している。例えば、このコネクタを使用する装置において、レバーが不用意に開くことがなく、ＦＰＣの接続状態が維持される。
【００２３】
（５）  前記第１の板カムと前記第２の板カムが前記回転軸の軸方向に交互に配列されていることを特徴とする（４）記載の低背型ＦＰＣ用ＺＩＦコネクタ。
【００２４】
本発明によれば、回転軸の軸方向に交互に配列された第２の板カムは上面開放端部の上面と密着しているので、レバーを開閉時に回転軸の撓みを少なくできる。
【００２５】
（６）  前記上面開放端部には前記バックロック型のレバーを握持可能な空間が形成されていることを特徴とする（１）記載の低背型ＦＰＣ用ＺＩＦコネクタ。
【００２６】
本発明によれば、ハウジングの上面開放端部にはバックロック型のレバーを握持可能な空間が形成されているので、レバーを開閉操作する際に、邪魔されるものがなくて握持部に手を掛け易くなりレバーを容易に開けることができる。
【発明の効果】
【００２７】
本発明のＦＰＣ用ＺＩＦコネクタは、後方に上面開放端部を有し、内部に複数のコンタクトを配列する絶縁性のハウジングと、この上面開放端部に回動可能に保持されるバックロック型のレバーと、を備えており、コンタクトは撓み変形してＦＰＣに接触する上腕と、ハウジングに保持される下腕とを備え、下腕の相反側には略Ｕ字状の溝が形成された二股の係合アームが後方に向けて突出して設けられ、上腕は係合アームに連設される。また、前記レバーは回転軸と握持部で一体に構成され、この回転軸の周囲は第１の板カムとなって二股の係合アームと連結するカム装置を構成しているので、このレバーを開けると板カムは係合アームを変位させてコンタクトの上腕を開いた状態とし、ＦＰＣを挿入する際に僅かばかりの力で行うことができる。また、レバーを閉じると板カムによる係合アームの変位が解除され、コンタクトの上腕が復帰して、その弾性力で挿入されたＦＰＣを狭持して接触状態を保持することができる。このように、レバーの操作だけでＦＰＣの接続が迅速にでき、かつ、コンタクトの極数に拘らず簡単に接続作業ができる。
【００２８】
また、コンタクトの上腕の弾力で挿入されたＦＰＣを狭持して接続状態を保持しているので、コンタクトには外部荷重が作用していないため、例えば、クリープ現象等が発生してコンタクトの耐用を損ねるおそれがない。すなわち、ＦＰＣと接触させた接続時にはコンタクトには外部荷重が作用していないことになり、コンタクトの耐久性が向上することになる。
【００２９】
また、コンタクトは上腕と下腕とからなる二股の２段の形状であるので、コンタクトの背高が低く、コネクタを低背化することができる。
【００３０】
また、ハウジングの上面開放端部にはレバーを握持できるように空間が確保され、握持部に手を掛け易いことになり、レバーの操作が容易となる。
【００３１】
また、前記ハウジングの両翼には一対の接合タブが上面開放端部の後側から前方に向けて設けられ、レバーの回転軸の両端部を上面開放端部とで狭持する形で回動自在に保持しているので、レバーが回転軸を軸にして回動されても、ハウジングから外れることなく自在に回動できることになり、操作性に優れる。
【００３２】
また、回転軸の周囲は第２の板カムが形成されており、該第２の板カムと前記上面開放端部の上面との密着によって前記レバーの閉じた状態が維持されているので、レバーの閉じられた状態が安定していることになる。例えば、このコネクタを使用する装置において、レバーが不用意に開くことがなく、ＦＰＣの接続状態が維持できる。
【発明を実施するための最良の形態】
【００３３】
以下に、本発明の実施の形態について図面に基づいて説明する。
【００３４】
図１は、本発明による実施形態における低背型ＦＰＣ用ＺＩＦコネクタ（以下、コネクタと略称する）の構成を示す斜視図であり、要部を断面図としている。図２は本発明によるコネクタの平面図であり、図３は本発明によるコネクタの正面図であり、図４は本発明によるコネクタの側面図である。また、図５は本発明のコネクタにＦＰＣを接続する操作手順を説明する図であって、（ａ）はレバーを閉じた状態でプリント基板に取付けた状態を表す図で、（ｂ）はレバーを開いた状態を表す図で、（ｃ）はＦＰＣを挿入した状態を表す図で、（ｄ）はレバーを閉じて挿入されたＦＰＣと接続された状態を表す図である。また、図６は本発明による実施形態におけるコネクタの斜視図であり、コネクタの一部を破断してＦＰＣが接続される前の状態を示している。図７は図６の縦断面図である。また、図８は本発明による実施形態におけるコネクタの斜視図であり、コネクタの一部を破断してＦＰＣが接続された状態を示している。また、図９は図８の縦断面図である。尚、これらの図では、判りやすくするために、縮尺率を適宜調整してある。
【００３５】
本発明のコネクタの実施形態について、図１乃至図４により説明する。
【００３６】
図１乃至図４において、ハウジング１０は絶縁性の合成樹脂材で成形されている。コネクタ１は、ハウジング１０と、回動可能なバックロック型のレバー３０を備えている。複数の二股コンタクト４０は、所定のピッチでハウジング１０に配列されている。これらの二股コンタクト４０は、例えば、金属薄板が精密打ち抜き加工されたものである。
【００３７】
ハウジング１０には、上壁１１と下壁１２とでＦＰＣ５０が挿入される開口部１３が形成され、この開口部１３に複数の二股コンタクト４０が受け入れられる。開口部１３の内壁には、ＦＰＣ５０の挿入方向と平行に、複数の二股コンタクト４０を内装する溝１６が所定のピッチで形成されている。
【００３８】
図１乃至図４において、開口部１３の前面にＦＰＣ５０が挿入される挿入口１４を形成している。この挿入口１４は、接続すべきＦＰＣ５０の接続端部が受け入れられる。
【００３９】
また、下壁１２には、図１および図６に示すように、下腕４２を内装する溝１６が形成されており、この溝１６には、略中間部分から前方に向けて下壁１２の上側に隔壁１８が形成された形、すなわち、溝１６が形成されている下壁１２は断面視略Ｕの字状の形状を呈する形で、二股コンタクト４０の下腕４２の固定腕４３を嵌入する嵌入孔１５が形成されている。係合アーム４４の下方は空間となっており、係合アーム４４が変位できるようになっている。
【００４０】
ハウジング１０の後側（図１および図４において右側）部分は上方が開放された上面開放端部１７となっている。そして、この上面開放端部１７の上面には、回動可能なバックロック型のレバー３０が収容されている。尚、ハウジング１０とレバー３０との上面は略同一面となっており、レバー３０がハウジング１０の後側を覆うカバー体となっている。
【００４１】
また、ハウジング１０の両翼１９のそれぞれには、後方から前方に向けた孔（図示せず）が形成されている。この一対の孔に略Ｌ字状の金属製の接合タブ６０がハウジング１０の後部（上面開放端部１７側）から前方の挿入口１４に向けて圧入される。
【００４２】
この接合タブ６０は、横設片がプリント基板（図示せず）にはんだ付けされて、ハウジング１０をプリント基板に接合する。また、接合タブ６０の上方部はレバー３０の回転軸３１を回動自在に保持する。尚、この接合タブ６０には、微細突起６０ａが形成されており、接合タブ６０をハウジング１０に圧入されると、この微細突起６０ａがハウジング１０に食い込んで固着される（図４参照）。
【００４３】
二股コンタクト４０は、図１に示すように、上腕４１と下腕４２を備え、下腕４２は、後方に向けて延出する固定腕４３が形成され、ハウジング１０の下壁１２に沿って延出している。
【００４４】
さらに、下腕４２の後方（図１および図４における右側）には、略Ｕ字状の溝４５が形成された二股の係合アーム４４が突出している。係合アーム４４は下腕４２の後端から横設片となる片持ち梁となって、上腕４１と下腕４２と一体とした形で形成される。
【００４５】
下腕４２は、ハウジング１０の下壁１２に形成された溝１６に沿って挿入され、その際、固定腕４３が前記嵌入孔１５に嵌入して、この二股コンタクト４０をハウジング１０内に固定するためのものであって、略真直ぐな帯板状とされる。また、下腕４２の固定腕４３の上縁には嵌入孔１５に圧入される微細突起４３ａが形成されている。
【００４６】
下腕４２の前端下側には、ハウジング１０の外側に突出する接触子タブ４６が形成されている。このように、接触子タブ４６をハウジング１０の前側に形成することにより、ハウジング１０の上面開放端部１７の後側は部品が延出しない空間が形成されるので、後述するようにレバー３０を操作する際に握持部３２を掴みやすく操作性に優れることになる。
【００４７】
一方、上腕４１は、係合アーム４４に連接して、下腕４２に対向して前方（挿入口１４側）に斜め下方に傾斜して延出しており、先端部分での上腕４１と下腕４２との間隔が狭くなるように形成されている。先端部内側（下腕４２に対向する側）には接点部４１ａを突出させてある。
【００４８】
このように傾斜させることにより、上腕４１の先端部分がハウジング１０の上壁１１から離間して空間が形成されているので、先端部分が上下に変位できることになる。
【００４９】
また、この接点部４１ａと下腕との間隔は、挿入されたＦＰＣ５０を押圧して保持できる程度、すなわち、ＦＰＣ５０の接続端部の厚みよりも多少狭く設定されている。
【００５０】
尚、ＦＰＣ５０の接続端部の厚みとしては、特に限定されるものでない。本発明のコネクタ１の使用する用途によるが、例えば、デジタルカメラ（ＤＳＣ、ＤＶＣ）や携帯電話等の用途に使用の場合には、０．３ｍｍ、０．２ｍｍ、０．１２ｍｍ厚のものが適用される。
【００５１】
二股コンタクト４０はハウジング１０の前方の挿入口１４より上面開放端部１７に向けて挿入され、各溝１６に装着してある。この際、二股コンタクト４０の下腕４２の固定腕４３がハウジング１０の嵌入孔１５に嵌入され、ハウジング１０の隔壁１８に固定腕４３の上縁に形成された微細突起４３ａが食い込んで固着される。これによって、二股コンタクト４０は、ハウジング１０内への嵌入が一定の位置で停止することになる。また、二股コンタクト４０がハウジング１０から抜け出るのが防止される。
【００５２】
このようにして、各二股コンタクト４０が配列された状態では、前記挿入口１４に上腕４１と下腕４２とが臨んでハウジング１０の開口部１３内に配置され、下腕４２でハウジング１０に固定されているので、二股コンタクト４０は上腕４１と下腕４２の２段形状でよいため背丈が低いことになり、コネクタ１は低背化を実現できることになる。具体的には、挿入されるＦＰＣ５０の接続端部の厚みにもよるが、例えば、ＦＰＣ５０の接続端部の厚みが０．３ｍｍ用では、コネクタ１は約１．２ｍｍの実装高さを実現できた。
【００５３】
また、各接触子タブ４６の底面は、ハウジング１０の下壁１２の底面と略面一で外部に突出するようにしてある。この接触子タブ４６はプリント基板（図５参照）にはんだ付けされて、プリント基板にコンタクト４０を接続させることになる。このように、接触子タブ４６をハウジング１０の前側にすることにより、ハウジング１０の上面開放端部１７の後側には空間が形成され、握持部３２に手を掛けやすくなるので、コネクタ１が低背化されたものであってもレバー３０の操作がし易いことになる。
【００５４】
また、複数個の二股コンタクト４０の上腕４１の長さは、全て同じ長さでなくてもよい。例えば、２種類の長さとして、長いものと短いものとを交互に配置して、挿入されたＦＰＣ５０との接点が千鳥状の配列になるようにしてもよい。こうすることで、ＦＰＣ５０を直線状に押圧（線圧）しないので、ＦＰＣ５０が座屈しない、または、折れ曲がらないという効果を奏する。
【００５５】
レバー３０は、金属製の円柱で形成された回転軸３１と絶縁性の合成樹脂材で成形された略方形板状の握持部３２とが一体構成されたもので、ハウジング１０の後側の上面開放端部１７の上面に収容されている。尚、この回転軸３１は、把持部と一体成形後、金属露出部に絶縁性の皮膜が施されてもよい。また、予め回転軸３１を絶縁性の皮膜で被覆しておいて、これを握持部３２と一体成形してもよい。これにより、絶縁性がより優れることになる。
【００５６】
握持部３２には、ハウジング１０に形成された溝１６と同位置に二股コンタクト４０の係合アーム４４の上片を避けるための開口溝３４が櫛の歯状に二股コンタクト４０と同数形成されている。
【００５７】
また、回転軸３１の周囲は第１の板カム３３ａと第２の板カム３３ｂが交互に配列される複合した板カム３３となっている。第１の板カム３３ａは二股の係合アーム４４と連結してカム装置を構成する。第１の板カム３３ａは、従動節のリフトが大きくなる部分Ａと従動節のリフトが小さくなる部分Ｂとが輪郭形成される。
【００５８】
図１において、第１の板カム３３ａは、二股の係合アーム４４で形成された略Ｕ字状の溝４５内に位置するようにして配置される。また、図１および図４に示すように、回転軸３１の両端部が接合タブ６０の端部とハウジング１０の上面開放端部１７とで狭持される形でレバー３０は回動自在に保持される。
【００５９】
また、隣り合う二股コンタクト４０の間には、第２の板カム３３ｂが配置され、図１に示すように、レバー３０をハウジング１０の後側の上面開放端部１７上に横臥させて閉じた状態において、第２の板カム３３ｂが上面開放端部１７の上面に密着するようになっている。
【００６０】
このレバー３０をハウジング１０に装着すると、第１の板カム３３ａが係合アーム４４に連結することになり、第１の板カム３３ａが係合アーム４４と連結するカム装置を構成することになり（図１参照）、レバー３０を回動すると、第１の板カム３３ａが係合アーム４４を変位できるようになる。
【００６１】
また、レバー３０は、閉じると図１のようにハウジング１０の上面開放端部１７上に収納され、ハウジング１０の後側を覆うことになり、カバー体としての役割を奏する。また、第２の板カム３３ｂが上面開放端部１７の上面に密着されているので、レバー３０が安定した形で上面開放端部１７上に保持されることになる。
【００６２】
本発明のコネクタ１は、図５に示す操作手順でＦＰＣ５０と接続される。図５は本発明のコネクタにＦＰＣを接続する操作手順を説明する図であって、本発明のコネクタ１は、図５の（ａ）に示すように、コネクタ１の接触子タブ４６および接合タブ（図示せず）でプリント基板７０にはんだ付けされて接合されている。コネクタ１はレバー３０が閉じた状態（ハウジング１０の上面開放端部１７の上面に横臥した状態）で接合されている。
【００６３】
次に、ＦＰＣ５０を挿入する時には、レバー３０の握持部３２を掴んで持ち上げる。すると、レバー３０は回転軸３１を軸として矢印Ｃ（図５の（ａ）参照）の方向に回動して、図５の（ｂ）に示すように開いた状態（起立した状態）になる。この際に、後述するように板カム３３ａと係合アーム４４とのカム構造で二股コンタクト４０の上腕４１の先端部が上方に変位して下腕４２との間隔を広げる。
【００６４】
次いで、この状態でＦＰＣ５０をコネクタ１内に挿入する（図５の（ｂ）参照）。ＦＰＣ５０を挿入後、回転軸３１を軸としてレバー３０を矢印Ｄ（図５の（ｃ）参照）の方向に回動して、図５の（ｄ）に示すように閉じた状態にする。これによって、後述するように、ＦＰＣ５０と二股コンタクト４０とが接続状態となる。
【００６５】
次に、本発明のコネクタ１にＦＰＣ５０を接続する様子を図６乃至図９を参照にして説明する。
【００６６】
図６および図７はＦＰＣ５０を接続する前の状態図である。図６と図７に示すように、レバー３０を略垂直の位置に回動して開けると、係合アーム４４の略Ｕ字状の溝４５にある第１の板カム３３ａが回転して、肉厚の部分Ａが下方に移動する。この移動によって、この部分Ａは二股コンタクト４０の係合アーム４４を下方に押し下げることになる。
【００６７】
この係合アーム４４が押し下げられると、二股コンタクト４０の上腕４１が連動して弾性変形して、その先端部分がハウジング１０の上壁１１側に変位して、二股コンタクト４０の先端部分の接点部４１ａと下腕４２との間隔を広げることになる。この時の接点部４１ａと下腕４２との間隔をＦＰＣ５０の接続端部の厚さよりも広くなるようにしておくことで、ＦＰＣ５０を無負荷で挿入できる。
【００６８】
また、レバー３０を回動して開ける際に、レバー３０の握持部３２の下方が空間となっているので、握持部３２が掴み易く手で容易に操作できることになる。
【００６９】
次に、ＦＰＣ５０を挿入した後、図８と図９に示すように、レバー３０を略水平の位置に回動して閉じると、係合アーム４４の略Ｕ字状の溝４５にある第１の板カム３３ａが回転して肉厚の部分Ａが挿入口１４側（図９における左側方向）に移動する。この移動によって、係合アーム４４側には第１の板カム３３ａの肉薄の部分Ｂが対向することになり、係合アーム４４に作用していた押し下げ力が解除されることになる。
【００７０】
これに伴って、これまで二股コンタクト４０の上腕４１に作用していた弾性変形も解除されて元に復帰することになる。これにより、上腕４１が元の状態に戻るので、接点部４１ａと下腕４２との間隔も元の間隔に戻ることになる。
【００７１】
この接点部４１ａと下腕４２との間隔を挿入されるＦＰＣ５０の接続端部の厚さより狭くなるように予め設定しておくことで、挿入されたＦＰＣ５０を狭持して接続を保持できることになる。この場合、二股コンタクト４０の上腕４１は、弾性復帰されているので、二股コンタクト４０には外部荷重等が作用していないことになり、耐用に優れることになる。
【００７２】
尚、レバー３０が閉じて、肉薄の部分Ｂが係合アーム４４に対向した状態においては、第１の板カム３３ａと係合アーム４４とは接触せずに隙間を有する構成にすることで、ＦＰＣ５０と二股コンタクト４０が接続されていても、電気的に短絡するおそれをより防止できる。
【００７３】
以上のように本発明に係るコネクタに関して、例を示す図面を参照しつつ具体的に説明したが、本発明はもとより図示例に限定される訳ではなく、前述の趣旨に適合し得る範囲で適当に変更を加えて実施することも可能であり、それらはいずれも本発明の技術的範囲に包含される。
【図面の簡単な説明】
【００７４】
【図１】本発明による実施形態におけるコネクタの構成を示す斜視図であり、要部を断面図としている。
【図２】本発明によるコネクタの平面図である。
【図３】本発明によるコネクタの正面図である。
【図４】本発明によるコネクタの側面図である。
【図５】本発明のコネクタにＦＰＣを接続する操作手順を説明する図であって、（ａ）はレバーを閉じた状態でプリント基板に取付けた状態を表す図で、（ｂ）はレバーを開いた状態を表す図で、（ｃ）はＦＰＣを挿入した状態を表す図で、（ｄ）はレバーを閉じて挿入されたＦＰＣと接続された状態を表す図である。
【図６】本発明による実施形態におけるコネクタの斜視図であり、コネクタの一部を破断してＦＰＣが接続される前の状態を示す図である。
【図７】図６の縦断面図である。
【図８】本発明による実施形態におけるコネクタの斜視図であり、コネクタの一部を破断してＦＰＣが接続された状態を示す図である。
【図９】図８の縦断面図である。
【符号の説明】
【００７５】
１  コネクタ
１０  ハウジング
１３  開口部
１７  上面開放端部
１９  両翼
３０  レバー
３１  回転軸
３２  握持部
３３  板カム
３３ａ  第１の板カム
３３ｂ  第２の板カム
４０  二股コンタクト
４１  上腕
４２  下腕
４４  係合アーム
４５  溝
５０  ＦＰＣ
６０  接合タブ
【図１】
2005108465.tif 000003
【図２】
2005108465.tif 000004
【図３】
2005108465.tif 000005
【図４】
2005108465.tif 000006
【図５】
2005108465.tif 000007
【図６】
2005108465.tif 000008
【図７】
2005108465.tif 000009
【図８】
2005108465.tif 000010
【図９】
2005108465.tif 000011